(57)【特許請求の範囲】
【請求項１】
融点が２０００℃よりも高い第１酸化物で形成される耐熱層である下部層と、前記下部層の上に設置され、前記第１酸化物の生成自由エネルギーよりも生成自由エネルギーが高い第２酸化物で形成される上部層とを備え、
炉心を内蔵する原子炉圧力容器の真下に配置され、
前記上部層が複数の酸化物層を含んでおり、
前記複数の酸化物層のそれぞれは種類の異なる前記第２酸化物で形成され、
前記複数の酸化物層のそれぞれを形成する前記第２酸化物の融点は、前記下部層から上方に向かうほど低くなることを特徴とする燃料デブリ保持装置。
【請求項２】
前記上部層を形成する前記第２酸化物が、板状、ブロック状、フレーク状、塊状及び球状のいずれかの形状をしている請求項１に記載の燃料デブリ保持装置。
【請求項３】
前記下部層及び前記上部層が、底部及びこの底部に取り付けられた筒状の側壁部を有する金属シェル内に配置された請求項１または２に記載の燃料デブリ保持装置。
【発明の詳細な説明】
【技術分野】
【０００１】
本発明は、燃料デブリ保持装置に係り、特に、沸騰水型原子炉プラントに適用するのに好適な燃料デブリ保持装置に関する。
【背景技術】
【０００２】
沸騰水型原子炉プラント及び加圧水型原子炉プラント等の原子力プラントでは、原子炉圧力容器内に炉心が配置されており、この炉心には、核分裂性物質（例えば、ウラン２３５）を含む核燃料物質（例えば、ＵＯ2）を充填した複数の燃料棒を含む複数の燃料集合体が装荷されている。原子力プラントの正常状態では、原子炉圧力容器内に存在する冷却水が、装荷された各燃料集合体内の各燃料棒と接触してこれらの燃料棒を冷却する。
【０００３】
原子炉圧力容器内の冷却水が喪失し、さらに、非常用炉心冷却装置による原子炉圧力容器内への冷却水の注水が行われないシビアアクシデントが、万が一、原子力プラントに発生した場合には、燃料棒の温度が上昇し、やがて、各燃料棒内の核燃料物質が溶融する。核燃料物質の溶融に伴い、核燃料物質を内部に充填している、燃料棒の構造部材であるジルコニウム合金製の被覆管、燃料集合体の構造部材であるジルコニウム合金製の上部タイプレート及び下部タイプレート等、さらには、下部炉心支持板及び制御棒案内管等のステンレス鋼製の構造部材を溶融し、核燃料物質及びこれらの構造部材の溶融物を含む燃料デブリが生成される。溶融した燃料デブリは、原子炉圧力容器の底部である下鏡部の上面に落下し、この下鏡部を溶融して原子炉圧力容器を取り囲む原子炉格納容器の底部に落下する可能性もある。
【０００４】
もし、原子炉圧力容器の底部を貫通して溶融した燃料デブリが原子炉格納容器の底部に落下した場合には、原子炉格納容器の気密性を保持するために原子炉格納容器の底部に設けられた金属製のライニング部材が落下した高温の燃料デブリによって溶融され、さらに、ライニング部材の下方に存在するコンクリートも溶融され、原子炉格納容器の気密性が損なわれる可能性が有る。
【０００５】
このため、原子炉格納容器の損傷を避け、原子炉格納容器の気密性を保持する目的で、原子炉圧力容器から落下する、高温の溶融した燃料デブリを受け止める、一般的にコアキャッチャと呼ばれる燃料デブリ保持装置が、原子炉圧力容器の真下で原子炉格納容器の底部上に設置される。燃料デブリ保持装置の例が、特開平９−２１１１６６号公報、特開２０１４−０６２８５９号公報、特開２０１２−１３７４３１号公報及びＷＯ２０１１／１２１９０８号公報に記載されている。
【０００６】
特開平９−２１１１６６号公報に記載された燃料デブリ保持装置は、原子炉圧力容器の下方で原子炉圧力容器を支える筒状のベデスタルの内側に配置され、高熱伝導材層、高熱伝導材層の上に配置された耐熱材層及びこの耐熱材層の上方に配置された低融点酸化材層を有する。低融点酸化材層は、例えば、コンクリートで構成される。原子炉圧力容器から落下した、溶融している燃料デブリは、低融点酸化材層の上面と接触し、低融点酸化材層を形成する低融点酸化材を溶融する。燃料デブリと低融点酸化材の共有体は、融点が燃料デブリよりも低くなる。また、燃料デブリから耐熱材層に伝えられた熱は、高熱伝導材層を通して放熱される。この結果、耐熱材層の溶融が防止され、原子炉格納容器の気密性を維持することができる。
【０００７】
特開２０１４−０６２８５９号公報の燃料デブリ保持装置は、原子炉圧力容器の下方でベデスタルの内側において、原子炉格納容器の床上に配置される。この燃料デブリ保持装置は、中空の円盤状に構成され、外縁部から中央部に向かって傾斜する逆円錐状の上面を有する給水容器、給水容器の上方に配置されてその上面を覆う逆円錐状の上蓋、及び上蓋の上を覆う逆円錐状の断熱材層を有し、給水容器の中央部に向かって傾斜している冷却チャンネルを給水容器と上蓋の間に形成している。断熱材層は、上蓋から上方に向かって第１耐熱層及び第２耐熱層を配置し、上蓋と第１耐熱層の間に第１目地部、及び第１耐熱層と第２耐熱層の間に第２目地部を配置して構成される。第１耐熱層は第２耐熱層よりも熱伝導性が高くなっており、第２目地部は第１目地部よりも熱伝導性が低くなっている。
【０００８】
溶融している燃料デブリは、原子炉圧力容器から、断熱材層、具体的には、第２耐熱層上に落下する。燃料デブリが落下した第２耐熱層上、及びその燃料デブリ上に冷却水が注水され、冷却チャンネルにも冷却水が供給される。これにより、落下した燃料デブリが冷却される。
【０００９】
特開２０１２−１３７４３１号公報は、燃料デブリ保持装置を記載する。この燃料デブリ保持装置は、外縁部から中央部に向かって傾斜する逆円錐状の上面を有する治具、治具の上方に配置されてその上面を覆う逆円錐状の金属部材、金属部材の上を覆う逆円錐状の耐熱層、及び耐熱層上に配置された格子状の被覆材を有している。耐熱層は、複数のブロック層を積層して構成される。治具の中央部に向かって傾斜している冷却水通路が、治具と金属部材の間に形成されている。このような燃料デブリ保持装置は、所定時間、落下した燃料デブリを保持することができる。
【００１０】
ＷＯ２０１１／１２１９０８号公報に記載された燃料デブリ保持装置は、外縁部から中央部に向かって傾斜する逆円錐状の上面を有する治具、治具の上方に配置されてその上面を覆う逆円錐状の金属部材、及び金属部材の上を覆う逆円錐状の多層積層構造を有している。多層積層構造は、第１耐熱層、第１耐熱層よりも熱伝導率が低い第２耐熱層、及び燃料デブリとの接触による腐食を緩和し、燃料デブリの落下による衝撃を緩和する耐食・衝撃緩和層を、金属部材から上方に向かって順番に配置している。治具の中央部に向かって傾斜している冷却水通路が、治具と金属部材の間に形成されている。このような燃料デブリ保持装置は、燃料デブリの熱及び化学反応によっても、所定時間、落下した燃料デブリを保持することができる。
【先行技術文献】
【特許文献】
【００１１】
【特許文献１】特開平９−２１１１６６号公報
【特許文献２】特開２０１４−０６２８５９号公報
【特許文献３】特開２０１２−１３７４３１号公報
【特許文献４】ＷＯ２０１１／１２１９０８号公報
【発明の概要】
【発明が解決しようとする課題】
【００１２】
特開平９−２１１１６６号公報、特開２０１４−０６２８５９号公報、特開２０１２−１３７４３１号公報及びＷＯ２０１１／１２１９０８号公報に示されているように、従来の燃料デブリ保持装置は、デブリ保持部である耐熱層（例えば、高融点の酸化物）及び金属材料層を設けている。これらの層は、機械的性質、融点などで分けられていることが多い。これは、溶融した燃料デブリが重量物であること、及び２５００℃を越える高温であることに起因している。
【００１３】
一方、溶融した燃料デブリは、燃料集合体の構造材であるジルコニウム合金、ジルコニウム合金に含まれるジルコニウムの酸化反応により生成されたジルコニウム酸化物（ＺｒＯ2）、燃料集合体に含まれた核燃料物質であるウラン酸化物（ＵＯ2）、炉内構造材であるステンレス鋼などの溶融物を含んでいる。
【００１４】
溶融した燃料デブリが燃料デブリ保持装置のデブリ保持部（例えば、耐熱層）に接触すると、燃料デブリに含まれるジルコニウムが、デブリ保持部の材料を還元しまたはその材料と共晶反応し、結果として、デブリ保持部が溶融した燃料デブリにより侵食されるという問題が生じることを、発明者らが見出した。
【００１５】
本発明の目的は、燃料デブリによる還元反応を抑制して耐熱層の侵食を防止できる燃料デブリ保持装置を提供することにある。
【課題を解決するための手段】
【００１６】
上記した目的を達成する本発明の特徴は、融点が２０００℃よりも高い第１酸化物で形成される耐熱層である下部層と、この下部層の上に設置され、その第１酸化物の生成自由エネルギーよりも生成自由エネルギーが高い第２酸化物で形成される上部層とを備え、炉心を内蔵する原子炉圧力容器の真下に配置されることにある。
【００１７】
シビアアクシデントが発生し、原子炉圧力容器から溶融している燃料デブリが上部層に落下したとき、落下した燃料デブリに含まれている金属元素Ｍ１と第２酸化物との還元反応が生じ、金属元素Ｍ１の酸化物を生成する。上部層を形成する第２酸化物の生成自由エネルギーが、耐熱層である下部層を形成する第１酸化物の生成自由エネルギーよりも高いので、金属元素Ｍ１と第２酸化物との還元反応により金属元素Ｍ１の酸化物が生成されるため、金属元素Ｍ１と耐熱層である下部層の第１酸化物の還元反応が生じなく、下部層のの、金属元素Ｍ１による侵食が防止される。
【発明の効果】
【００１８】
本発明によれば、燃料デブリによる還元反応を抑制して耐熱層の侵食を防止することができる。
【図面の簡単な説明】
【００１９】
【図１】本発明の好適な一実施例である実施例１の燃料デブリ保持装置の原子炉圧力容器下方への設置状態を示す説明図である。
【図２】図１に示された燃料デブリ保持装置の具体的な構成図である。
【図３】本発明の好適な他の実施例である実施例２の燃料デブリ保持装置の構成図である。
【図４】本発明の好適な他の実施例である実施例３の燃料デブリ保持装置の構成図である。
【図５】本発明の好適な他の実施例である実施例４の燃料デブリ保持装置の構成図である。
【発明を実施するための形態】
【００２０】
発明者らは、燃料デブリによる還元反応を抑制して耐熱層の侵食を防止できる燃料デブリ保持装置について、種々の検討を行った。この検討結果を以下に説明する。
【００２１】
発明者らは、発明者らが見出した前述の問題を改善するために、溶融した燃料デブリによる還元反応、特に、その燃料デブリに含まれたジルコニウムによる還元反応を抑制する対策案を検討した。この検討において、発明者らは、耐熱材により形成される耐熱層である下部層の上に、この下部層を形成する第１酸化物の生成自由エネルギーよりも生成自由エネルギーが高い第２酸化物で形成される上部層を設置すれば良いとの発想に至った。すなわち、燃料デブリ保持装置は、第１酸化物で形成される上記下部層及びこの下部層の上に配置されて第２酸化物で形成される上記上部層を有する。なお、第１酸化物は第１金属元素（金属元素Ｍ２）の酸化物であり、第２酸化物は第１金属元素とは種類の異なる第２金属元素（金属元素Ｍ３）の酸化物である。
【００２２】
溶融して落下した燃料デブリと接触する上部層を形成する第２酸化物の生成自由エネルギーが下方に位置する下部層の第１酸化物のそれよりも高いので、溶融した燃料デブリに含まれる金属元素Ｍ１（例えば、ジルコニウム、クロム、ニッケル及び鉄など）が上部層に含まれる第２酸化物の酸素と反応して酸化され、金属元素Ｍ１の酸化物が生成される。このため、その燃料デブリに含まれる金属元素Ｍ１と下部層の第１酸化物との還元反応が生じなく、第１酸化物で形成される下部層の、溶融した燃料デブリに含まれる金属元素Ｍ１による侵食を防止することができる。したがって、燃料デブリ保持装置の耐熱層である下部層を健全な状態で保持することができる。これにより、溶融して落下した燃料デブリによる原子炉格納容器床の溶融を防止することができる。
【００２３】
下部層は、融点が２０００℃より高い第１酸化物であるジルコニア（ＺｒＯ2）、二酸化ウラン（ＵＯ2）、アルミナ（Ａｌ2Ｏ3）、マグネシア（ＭｇＯ）及び酸化カルシウから選ばれた一つの物質によって形成される。また、上部層は、下部層を形成する第１酸化物の生成自由エネルギーよりも生成自由エネルギーが高い第２酸化物である酸化鉄（例えば、Ｆｅ2Ｏ3）、マグネシア（ＭｇＯ）、二酸化ケイ素（ＳｉＯ2）、アルミナ（Ａｌ2Ｏ3）及びベリリア（ＢｅＯ）から選ばれた一つの物質によって形成される。なお、ケイ素は、金属である、βスズ構造のケイ素である。
【００２４】
下部層を形成する第１酸化物は、上部層を形成する第２酸化物よりも融点が高い物質であることが望ましい。
【００２５】
例えば、シビアアクシデントが発生したときに原子炉圧力容器から落下した溶融した燃料デブリが最初に接触する上部層が、第２酸化物であるＭ３Ｏ2で（Ｍ３は金属元素）形成されているとする。上部層を形成する第２酸化物（Ｍ３Ｏ2）の生成自由エネルギーが下方に位置する下部層の第１酸化物（Ｍ２Ｏ2）のそれよりも高いので、このＭ３Ｏ2が上部層上に落下した燃料デブリに含まれる金属元素Ｍ１、例えば、ジルコニウム（Ｚｒ）と反応（還元反応）すると、下記の（１）式に示すように、酸化ジルコニウム（ＺｒＯ2）及び金属元素Ｍ３が生成される。
【００２６】
Ｍ３Ｏ2＋Ｚｒ  →  ＺｒＯ2＋Ｍ３              …（１）
落下した燃料デブリに含まれる金属元素Ｍ１のほとんどが、上部層を形成している第２酸化物であるＭ３Ｏ2との還元反応により金属元素Ｍ１の酸化物になるので、金属元素Ｍ１と下部層の第１酸化物との還元反応が生じなく、金属元素Ｍ１による下部層の侵食が防止される。また、生成された金属元素Ｍ３の酸化物の生成自由エネルギーが下部層の第１酸化物の生成自由エネルギーよりも高い場合には、金属元素Ｍ３と下部層の第１酸化物との還元反応が生じなく、生成された金属元素Ｍ３によっても下部層が侵食されない。しかしながら、（１）式の反応で生成された金属元素Ｍ３の酸化物の生成自由エネルギーがその第１酸化物の生成自由エネルギーよりも低い場合には、金属元素Ｍ３と下部層の第１酸化物の還元反応が生じ、溶融した燃料デブリによる下部層の侵食が始まる。
【００２７】
このため、燃料デブリに含まれる金属元素Ｍ１と下部層の第１酸化物との還元反応を防ぐために、さらに、金属元素Ｍ１と下部層の第１酸化物との還元反応により生成された金属元素Ｍ３と下部層の第１酸化物との還元反応を防ぐために、燃料デブリ保持装置の上部層は、下部層を形成する第１酸化物の生成自由エネルギーよりも生成自由エネルギーが高い第２酸化物で形成する必要がある。
【００２８】
さらに、上部層を、例えば、第１層、第１層の下方に位置する第２部、第２層の下方に位置する第３層……の複数の酸化物層で形成してもよい。第１層は最も上方に位置する。上部層を複数の酸化物層、例えば、第１層及び第２層で形成する場合、第１層及び第２層のそれぞれは、下部層を形成する第１酸化物の生成自由エネルギーよりも生成自由エネルギーが高い、種類が異なる第２酸化物で形成される。第１層及び第２層を形成するそれぞれの第２酸化物の融点は、下部層を形成する第１酸化物の融点よりも低いことが望ましい。酸化物層である第１層を形成する第２酸化物の融点は、他の酸化物層である第２層を形成する種類が異なる他の第２酸化物の融点よりも低くなっている。上部層を複数の酸化物層で形成する場合には、上部層内で最も下方に位置する酸化物層から上部層内で最も上方に位置する酸化物層に向って、酸化物層を形成する第２酸化物の融点は低くなる。
【００２９】
第１層を形成している第２酸化物（Ｍ４Ｏ2）及び第２層を形成している、種類が異なる他の第２酸化物（Ｍ５Ｏ2）おそれぞれの生成自由エネルギーが下部層を形成している第１酸化物のそれよりも高いので、シビアアクシデント発生時において溶融している燃料デブリが上部層の第１層上に落下すると、第１層の第２酸化物（Ｍ４Ｏ2）と燃料デブリの一部に含まれる金属元素Ｍ１との還元反応が生じ、金属元素Ｍ１の酸化物及び金属元素Ｍ４が生成される。溶融している残りの燃料デブリは、上部層の第２層に達する。その残りの燃料デブリに含まれている金属元素Ｍ１と第２層の他の第２酸化物（Ｍ５Ｏ2）との還元反応が生じ、金属元素Ｍ１の酸化物及び金属元素Ｍ５が生成される。第２酸化物（Ｍ４Ｏ2）及び第２酸化物（Ｍ５Ｏ2）のいずれかが前述の第２酸化物（Ｍ３Ｏ2）であってもよい。溶融している燃料デブリに含まれる金属元素Ｍ１のほとんどが、上部層の第１層を形成している第２酸化物（Ｍ４Ｏ2）及び上部層の第２層を形成している種類の異なる第２酸化物（Ｍ５Ｏ2）と還元反応により金属元素Ｍ１の酸化物になるので、金属元素Ｍ１と下部層の第１酸化物との還元反応が生じなく、金属元素Ｍ１による下部層の侵食が防止される。
【００３０】
また、上記したそれぞれの還元反応で生成された金属元素Ｍ４及びＭ５のそれぞれの酸化物の生成自由エネルギーが下部層の第１酸化物の生成自由エネルギーよりも高いので、金属元素Ｍ４及びＭ５のそれぞれと下部層の第１酸化物との還元反応が生じなく、金属元素Ｍ４及びＭ５による下部層の侵食が防止される。
【００３１】
上部層に含まれる複数の酸化物層のそれぞれを形成する第２酸化物の融点は、上部層内で最も下方に位置する酸化物層から上部層内で最も上方に位置する酸化物層に向う程、低くなる。このため、燃料デブリの熱により下部層が侵食されることを防ぐことができる。
【００３２】
上記の検討結果を反映した、本発明の実施例を、図面を用いて以下に詳細に説明する。
【実施例１】
【００３３】
本発明の好適な一実施例である実施例１の燃料デブリ保持装置を、図１及び図２を用いて以下に説明する。
【００３４】
本実施例の燃料デブリ保持装置１を説明する前に、図１を用いて、この燃料デブリ保持装置１が適用される沸騰水型原子炉の概略の構成について説明する。沸騰水型原子炉は、内部に炉心７を配置した原子炉圧力容器６を有する。核燃料物質を内部に充填した複数の燃料棒（図示せず）を有する複数の燃料集合体（図示せず）が、炉心７に装荷されている。原子炉圧力容器６は、原子炉格納容器（図示せず）によって取り囲まれており、原子炉格納容器内で原子炉格納容器床９上に設置された、円筒状のベデスタル８に取り付けられている。
【００３５】
炉心７は原子炉圧力容器６内に設置された円筒状の炉心シュラウド（図示せず）の内側に配置され、原子炉圧力容器６の内面と炉心シュラウドの外面の間に環状のダウンカマが形成される。原子炉圧力容器６に設置される複数のジェットポンプ（図示せず）がダウンカマ内に配置される。再循環ポンプを有する再循環系配管の一端部が、原子炉圧力容器６の側壁に接続されてダウンカマに連絡される。再循環系配管の他端部は、ダウンカマ内に配置された上昇管であるライザー管を介してジェットポンプのノズル（図示せず）に連絡される。
【００３６】
燃料デブリ保持装置１は、原子炉圧力容器６の真下でペデスタル８よりも内側に配置され、そして、原子炉格納容器床９上に設置される。さらに、燃料デブリ保持装置１は、ペデスタル８の内側において原子炉格納容器床９を覆っている。
【００３７】
燃料デブリ保持装置１は、原子炉格納容器床９の上面に設置された下部層２及び下部層２の上に設置された上部層３を有する。上部層３は、下部層２よりも原子炉圧力容器６側に位置している。下部層２及び上部層３は、いずれも酸化物で形成される。下部層２は、前述した第１酸化物のうち、例えば、融点が２０００℃より高い、例えば、アルミナ（第１酸化物）で形成される。上部層３は、前述した第２酸化物のうち、アルミナの生成自由エネルギーよりも生成自由エネルギーが高い、例えば、べリリア（第２酸化物）で形成される。アルミナは金属元素Ｍ２であるアルミニウムの酸化物であり、ベリリアは金属元素Ｍ３であるベリリウムの酸化物である。
【００３８】
燃料デブリ保持装置１の下部層２及び上部層３のそれぞれは、セラミックスで構成される。セラミックスは、焼結工程を経て製造されるため、一般に、そのサイズをあまり大きくすることができない。このため、直径が１０ｍオーダーのサイズである燃料デブリ保持装置１では、下部層２及び上部層３のそれぞれを１枚のセラミックスで製作することができない。従って、下部層２は、セラミックスであるべリリアの小さなタイル材（板材）またはブロック材を敷き詰め、さらに、そのタイル材またはブロック材を積層することによって製作される。また、上部層３も、セラミックスであるアルミナの小さなタイル材（板材）またはブロック材を敷き詰め、そのタイル材またはブロック材を積層することによって製作される。
【００３９】
下部層２及び上部層３のそれぞれにおいて前述のタイル材またはブロック材を積層された複数層に敷き詰めるとき、上下の各層において、タイル材またはブロック材同士の境界の位置が水平方向においてずれるように、タイル材またはブロック材を配置することが望ましい。下部層２及び上部層３のそれぞれにおいてタイル材またはブロック材同士のその境界は熱の流れにとって抵抗となるので、タイル材またはブロック材を、その境界の位置が水平方向においてずれるように配置すれば、上下方向の熱流束の分散が効果的に行われる。
【００４０】
燃料デブリ保持装置１の一部は、図１に示すように、ペデスタル８の内面側でペデスタル８の内面に沿って環状に配置されている。燃料デブリ保持装置１の、ペデスタル８の内面に沿った環状部は、ペデスタル８の内面の一部を覆っている。
【００４１】
沸騰水型原子炉の通常運転時では、原子炉圧力容器６内のダウンカマに存在する冷却水が、再循環ポンプの駆動によって再循環系配管内に吸引されて昇圧され、再循環系配管及びライザー管を通って上記のノズルから噴射される。この冷却水の噴射によって、ダウンカマ内でノズル近傍に存在する冷却水がジェットポンプ内に吸い込まれる。ジェットポンプ内に吸い込まれた冷却水は、ジェットポンプから吐出され、炉心シュラウドの内側で炉心７の下方に存在する下部プレナムに流入し、炉心７内の各燃料集合体内に供給される。燃料集合体内の各燃料棒は、その冷却水によって冷却される。
【００４２】
沸騰水型原子炉において、万が一、シビアアクシデントが発生した場合には、前述したように、炉心７に装荷された燃料集合体の各燃料棒内に存在する核燃料物質が溶融し、燃料デブリ１０が生成される。溶融した燃料デブリ１０は、原子炉圧力容器６の底部である下鏡部の上面に落下する（図１参照）。下鏡部の上面に落下した燃料デブリ１０は、その下鏡部を溶融する可能性がある。もし、溶融した燃料デブリ１０が原子炉圧力容器６の下鏡部を溶融した場合には、この燃料デブリ１０の一部である溶融した燃料デブリ１０Ａが、下鏡部の溶融部を通して、原子炉圧力容器６の真下に位置する燃料デブリ保持装置１に向かって落下する。この燃料デブリ１０Ａは、燃料デブリ保持装置１の上部層３の上面に落下する。溶融した燃料デブリ１０及び１０Ａは、二酸化ウラン（ＵＯ2）、酸化ジルコニウム（ＺｒＯ2）、ジルコニウム（Ｚｒ）及びステンレス鋼の溶融物を含んでいる。溶融した燃料デブリの温度は、２５００℃以上に達する場合もある。
【００４３】
上部層３を形成するベリリアの生成自由エネルギーが、下部層２を形成するアルミナの生成自由エネルギーよりも高いので、上部層３の上面に落下した溶融している燃料デブリ１０Ａに含まれる金属元素Ｍ１、例えば、ジルコニウムは、（１）式で示すように、上部層３を形成するベリリア（ＢｅＯ）と還元反応を生じ、上部層３内において酸化ジルコニウム（ＺｒＯ2）及びベリリウム（金属元素Ｍ３）を生成する。ベリリウムは、ベリリアの還元によって生じる。上部層３を形成するベリリアは、接触した燃料デブリ１０Ａに含まれる金属元素Ｍ１であるジルコニウムによって還元される。
【００４４】
落下した燃料デブリに含まれる金属元素Ｍ１の一つであるジルコニウムのほとんどが、上部層３を形成している第２酸化物であるベリリアとの還元反応により酸化物であるジルコニアになるので、ジルコニウムと下部層の第１酸化物との還元反応が生じなく、ジルコニウムによる下部層２の侵食が防止される。また、その還元反応によって生成されたベリリウム（金属元素Ｍ３）の酸化物（第２酸化物）であるベリリアの生成自由エネルギーが、下部層２を形成するアルミナの生成自由エネルギーよりも高いので、下部層２は、ベリリウムによって侵食されない。
【００４５】
なお、溶融している燃料デブリ１０Ａには、ジルコニウム以外の金属元素Ｍ１として、クロム、ニッケル及び鉄が含まれている。クロム、ニッケル及び鉄も、上部層３を形成するベリリアと還元反応を生じ、上部層３内において酸化クロム、酸化ニッケル、酸化鉄（例えば、Ｆｅ2Ｏ3）及びベリリウムを生成する。残りの金属元素Ｍ１であるクロム、ニッケル及び鉄のそれぞれのほとんどが、上部層３を形成しているベリリアとの還元反応により酸化物である酸化クロム、酸化ニッケル、酸化鉄（例えば、Ｆｅ2Ｏ3）になるので、クロム、ニッケル及び鉄のそれぞれと下部層の第１酸化物との還元反応が生じなく、クロム、ニッケル及び鉄のそれぞれによる下部層２の侵食が防止される。さらに、ベリリウムの酸化物であるベリリアの生成自由エネルギーが、下部層２を形成するアルミナの生成自由エネルギーよりも高いので、下部層２を形成するアルミナとベリリウムの還元反応が生じなく、下部層２はベリリウムによって侵食されない。
【００４６】
本実施例の燃料デブリ保持装置１では、下部層２の上に上部層３を配置し、上部層３を、下部層２を形成する第１酸化物であるアルミナの生成自由エネルギーよりも生成自由エネルギーが高い、第２酸化物であるべリリアで形成しているので、原子炉圧力容器６から上部層３に落下した溶融している燃料デブリ１０Ａに含まれる金属元素Ｍ１は、上層部３を形成するベリリアと還元反応を生じ、金属元素Ｍ１の酸化物及び金属元素Ｍ３であるベリリウムを生成する。その還元反応で生成された金属元素Ｍ３であるベリリウムの酸化物の生成自由エネルギーが、下部層２を形成するアルミナの生成自由エネルギーよりも高いので、下部層２のアルミナとベリリウムとの還元反応を防ぐことができる。
【００４７】
このため、本実施例によれば、原子炉圧力容器６から燃料デブリ保持装置１の上部層３に落下した溶融している燃料デブリ１０Ａに含まれる金属元素Ｍ１が上部層３を形成するベリリアに含まれる酸素によって効率的に酸化されるため、燃料デブリ保持装置１の耐熱層である、アルミナで形成される下部層２が、燃料デブリ１０Ａに含まれる金属元素Ｍ１との還元反応により侵食されることを防止することができる。また、燃料デブリ１０Ａに含まれる金属元素Ｍ１と上部層３を形成するベリリアとの還元反応で生成されたベリリウムと下部層２を形成するアルミナとの還元反応が生じないので、アルミナで形成される下部層２は、ベリリウムにより侵食されることがない。
【００４８】
したがって、溶融している燃料デブリ１０Ａが原子炉圧力容器６から落下した場合においても、本実施例では、燃料デブリ保持装置１の耐熱層である下部層２が保持されるので、溶融している燃料デブリ１０Ａが原子炉格納容器床９まで到達して原子炉格納容器床９を溶融することを回避することができる。
【実施例２】
【００４９】
本発明の好適な他の実施例である実施例２の燃料デブリ保持装置を、図３を用いて以下に説明する。
【００５０】
本実施例の燃料デブリ保持装置１Ａは、沸騰水型原子炉に適用される。燃料デブリ保持装置１Ａは、実施例１と同様に、原子炉圧力容器６の真下でペデスタル８よりも内側に配置され、そして、原子炉格納容器床９上に設置される。さらに、燃料デブリ保持装置１Ａは、ペデスタル８の内側において原子炉格納容器床９を覆っている。
【００５１】
燃料デブリ保持装置１Ａは、下部層２及び下部層２の上に設置された上部層３Ａを有する。下部層２はアルミナで形成され、上部層３Ａは、実施例１の燃料デブリ保持装置１の上部層３に用いた第２酸化物であるベリリアで形成される。上部層３Ａは、べリリアの小さなタイル材またはブロック材ではなく、図３に拡大して示すように、フレーク状のべリリア１２で形成される。フレーク状のべリリア１２は、表面積が増加し、落下した溶融している燃料デブリ１０Ａに含まれる金属元素との反応を促進させる。フレーク状のべリリア１２の粒径を１０ｃｍ以下にすることにより、べリリア１２の表面積がより増加し、燃料デブリ１０Ａに含まれる金属元素とベリリア１２との還元反応がより促進される。上部層３Ａを形成するべリリアは、粒径を１０ｃｍ以下の塊状または球状としてもよい。
【００５２】
上部層３Ａをべリリア以外の第２酸化物で形成した場合でも、この第２酸化物を。フレーク状にしてもよい。
【００５３】
本実施例は実施例１で生じる各効果を得ることができる。さらに、本実施例における上部層３Ａがフレーク状のベリリア１２で形成されているので、上部層３Ａ上に落下した溶融している燃料デブリ１０Ａに含まれるジルコニウム等の金属元素Ｍ１と上部層３Ａのベリリア１２が還元反応を起こし、その金属元素Ｍ１を効率良く酸化させることができる。
【００５４】
なお、本実施例では、フレーク状のベリリア１２で形成した上部層３Ａの上面が平坦ではないため、原子炉の定期検査において原子炉圧力容器６の下方でペデスタル８の内側で保守点検作業を行う場合、作業性が著しく低下する可能性がある。このため、フレーク状のベリリア１２で形成した上部層３Ａの上面にコンクリートを打設して平坦な上面を形成し、保守点検作業の作業性の向上を図ってもよい。
【実施例３】
【００５５】
本発明の好適な他の実施例である実施例３の燃料デブリ保持装置を、図４を用いて以下に説明する。
【００５６】
本実施例の燃料デブリ保持装置１Ｂは、沸騰水型原子炉に適用される。燃料デブリ保持装置１Ｂは、実施例１と同様に、原子炉圧力容器６の真下でペデスタル８よりも内側に配置され、そして、原子炉格納容器床９上に設置される。さらに、燃料デブリ保持装置１Ｂは、ペデスタル８の内側において原子炉格納容器床９を覆っている。
【００５７】
燃料デブリ保持装置１Ｂは下部層２及び上部層３Ｂを有し、上部層３Ｂは第１層１１Ａ及び第２層１１Ｂの複数の酸化物層を含んでいる。上部層３Ｂの第２層１１Ｂは下部層２の上に設置され、第１層１１Ａは第２層１１Ｂの上に設置される。本実施例では、下部層２が、前述の第１酸化物のうちで、例えば、マグネシアで形成され、上部層３Ｂの第１層１１Ａが、前述の第２酸化物のうちで、例えば、酸化鉄（Ｆｅ2Ｏ3）で形成され、上部層３Ｂの第２層１１Ｂが、種類の異なる他の第２酸化物である、例えば、ベリリアで形成される。酸化鉄及びベリリアのそれぞれの生成自由エネルギーは、マグネシアの生成自由エネルギーよりも高い。さらに、ベリリアの融点はマグネシアの融点よりも低く、酸化鉄（Ｆｅ2Ｏ3）の融点はベリリアの融点よりも低い。
【００５８】
シビアアクシデントが発生したとき、溶融している燃料デブリ１０Ａが原子炉圧力容器６から燃料デブリ保持装置１Ｂに含まれる上部層３Ｂの第１層１１Ａの上に落下したとする。燃料デブリ１０Ａの一部に含まれている金属元素Ｍ１の一つであるジルコニウムは、第１層１１Ａの第２酸化物である酸化鉄（Ｆｅ2Ｏ3）との還元反応により酸化されてジルコニアになる。第１層１１Ａでの還元反応によって金属元素Ｍ４である鉄が生成される。落下した燃料デブリ１０Ａの残りは、第２層１１Ｂに達する。この残りの燃料デブリ１０Ａに含まれているジルコニウムは、第２層１１Ｂを形成する他の第２酸化物であるベリリアとの還元反応により酸化されてジルコニアになる。第２層１１Ｂにおける還元反応によって金属元素Ｍ５であるベリリウムが生成される。
【００５９】
酸化鉄（Ｆｅ2Ｏ3）及びベリリアのそれぞれの生成自由エネルギーが下部層２の第１酸化物であるマグネシアの生成自由エネルギーよりも高いので、落下した燃料デブリ１０Ａに含まれているジルコニウムのほとんどは、第１層１１Ａの酸化鉄（Ｆｅ2Ｏ3）及び第２層１１Ｂのベリリアのそれぞれとの還元反応によりジルコニアになる。このため、燃料デブリ１０Ａに含まれるジルコニウムと下部層２を形成するマグネシアとの還元反応が生じなく、ジルコニウムによりマグネシアの侵食が生じない。
【００６０】
また、第１層１１Ａにおけるジルコニウムと酸化鉄（Ｆｅ2Ｏ3）との還元反応により生成された鉄、及び第２層１１Ｂにおけるジルコニウムとベリリアとの還元反応により生成されたベリリウムのそれぞれの酸化物の生成自由エネルギーが下部層２の第１酸化物であるマグネシアの生成自由エネルギーよりも高いので、鉄及びベリリウムによる下部層２のマグネシアの侵食を防止することができる。
【００６１】
上部層３に含まれる第１層１１Ａを形成する酸化鉄（Ｆｅ2Ｏ3）の融点が上部層３に含まれる第２層１１Ｂを形成するベリリアの融点よりも低いので、燃料デブリ１０Ａの熱により下部層２のマグネシアが侵食されることを防ぐことができる。
【００６２】
このような本実施例は実施例１で生じる各効果を得ることができる。さらに、本実施例は、上記したように、燃料デブリ１０Ａの熱により下部層２のマグネシアが侵食されることを防ぐことができる。
【００６３】
上部層３は、３つ以上の酸化物層によって形成してもよい。
【実施例４】
【００６４】
本発明の好適な他の実施例である実施例４の燃料デブリ保持装置を、図５を用いて以下に説明する。
【００６５】
本実施例の燃料デブリ保持装置１Ｃは、沸騰水型原子炉に適用される。燃料デブリ保持装置１Ｃは、実施例１と同様に、原子炉圧力容器６の真下でペデスタル８よりも内側に配置され、そして、原子炉格納容器床９上に設置される。さらに、燃料デブリ保持装置１Ｃは、ペデスタル８の内側において原子炉格納容器床９を覆っている。
【００６６】
燃料デブリ保持装置１Ｃは、下部層２及び上部層３以外に、金属シェル５を有している。金属シェル５は円筒状の側壁及び底部を有する。金属シェル５は、円筒状の側壁が底部に取り付けられ、上端が開放された、蓋のない容器である。下部層２及び上部層３が、図５に示すように、金属シェル５内に配置され、下部層２が金属シェル５の底部上に設置され、上部層３が下部層２の上に設置される。本実施例では、下部層２が、前述の第１酸化物のうち、例えば、マグネシア（第１酸化物）で形成され、上部層３が、前述の第２酸化物のうち、例えば、二酸化ケイ素（第２酸化物）で形成される。
【００６７】
金属シェル５は、ベデスタル８の内側で原子炉格納容器床９上に設置されたステンレス鋼製の複数の支持部材１３によって支持される。このため、金属シェル５は原子炉格納容器床９の上面よりも上方に配置され、冷却材領域が金属シェル５の下面と原子炉格納容器床９の上面の間に形成される。金属シェル５の側壁もペデスタル８の内面から内側に離れて配置される。環状の冷却材領域が、位置している。金属シェル５の側壁の外面とペデスタル８の内面との間に形成される。金属シェル５の下面と原子炉格納容器床９の上面の間に形成される冷却材領域と金属シェル５の側壁の外面とペデスタル８の内面との間に形成される環状の冷却材領域は、互いに連通している。
【００６８】
シビアアクシデントが発生し、溶解している燃料デブリ１０Ａが原子炉圧力容器６から落下した場合には、この溶解している燃料デブリ１０Ａは、金属シェル５内に配置された上部層３に落下する。燃料デブリ１０Ａに含まれているジルコニウム等の各金属元素Ｍ１は、上部層３を形成している二酸化ケイ素と還元反応を生じ、それぞれの金属元素Ｍ１の酸化物及び金属元素Ｍ３であるケイ素を生成する。上部層３を形成する二酸化ケイ素の生成自由エネルギーが下部層２を形成するマグネシアの生成自由エネルギーよりも高いので、当然のことながら、その還元反応で生成されたケイ素の酸化物の生成自由エネルギーはマグネシアのそれよりも高くなる。このため、下部層２のマグネシアと上部層３における還元反応で生成されたケイ素との還元反応を防ぐことができ、マグネシアで形成された下部層２のケイ素による侵食を防ぐことができる。
【００６９】
本実施例は実施例１で生じる各効果を得ることができる。
【００７０】
さらに、本実施例では、空気及び水のいずれかの冷却材が、金属シェル５の下面と原子炉格納容器床９の上面の間及び金属シェル５の側壁の外面とペデスタル８の内面との間の、互いに連通したそれぞれの冷却材領域を形成することができる。このため、原子炉圧力容器６から金属シェル５の内側の上部層３に落下した燃料デブリ１０Ａの熱は、上記の冷却材領域に存在する冷却材によって除去され、温度が上昇した冷却材は、配管（図示せず）によって、ベデスタル８の外側で原子炉格納容器内に配置された熱交換器（図示せず）に導かれ、この熱交換器において外気によって冷却される。この熱交換器で冷却された冷却材は、戻り管（図示せず）を通して、ベデスタル８の内側の冷却水領域に戻される。このような冷却材の循環により、金属シェル５の内側に落下した燃料デブリ１０Ａの熱を外部に排出することができる。これにより、燃料デブリ１０Ａの熱を外部に排除することが可能となる。なお、冷却材として水を用いる場合には、上記の冷却材領域に充填した水の、環状の冷却材領域に形成される水面は、金属シェル５の上端よりも下方に位置させる必要がある。
【００７１】
実施例２の燃料デブリ保持装置１Ａにおける下部層２及び上部層３Ａまたは実施例３の燃料デブリ保持装置１Ｂにおける下部層２及び上部層３Ｂを、本実施例で用いられる下部層２及び上部層３の替りに、金属シェル５の内側に配置してもよい。
【００７２】
実施例１ないし実施例４の各燃料デブリ保持装置は、原子炉格納容器の構造をほとんど変更することなく原子炉圧力容器の真下に設置することができるので、新設の原子力プラントは勿論のこと、既設の原子力プラントにも適用することができる。
【００７３】
また、実施例１ないし実施例４の各燃料デブリ保持装置は、加圧水型原子炉にも適用することができる。
【符号の説明】
【００７４】
１，１Ａ，１Ｂ，１Ｃ…燃料デブリ保持装置、２…下部層、３，３Ａ，３Ｂ…上部層、５…金属シェル、６…原子炉圧力容器、８…ペデスタル、９…原子炉格納容器床、１０，１０Ａ…燃料デブリ、１１Ａ…第１層、１１Ｂ…第２層。
【図１】
0006608759.tif 000002
【図２】
0006608759.tif 000003
【図３】
0006608759.tif 000004
【図４】
0006608759.tif 000005
【図５】
0006608759.tif 000006